(57)【要約】      （修正有）【課題】利便性の低下を抑制することができる認証制御装置及び認証制御システムを提供する。【解決手段】認証制御装置１は、第１の認証装置２２によって第１の認証が成立し、続いて認証されたユーザに関連付けられた関連情報１１の優先順位を上げて関連情報１１に応じた第２の認証装置２３による第２の認証が不成立となる回数が予め定められた回数（Ｎ回）以上となった場合、関連情報１１を変更するように報知する制御部１０を備えて概略構成されている。【選択図】図１
2019125297.tif 000002
【特許請求の範囲】
【請求項１】
第１の認証装置によって第１の認証が成立し、続いて認証されたユーザに関連付けられた関連情報の優先順位を上げて前記関連情報に応じた第２の認証装置による第２の認証が不成立となる回数が予め定められた回数以上となった場合、前記関連情報を変更するように報知する制御部を備えた認証制御装置。
【請求項２】
前記制御部は、前記第１の認証装置が車両の外においてユーザが所持する携帯機と通信を行って前記第１の認証を行い、前記第２の認証装置が優先順位を上げられた前記携帯機に登録されたユーザに関連する生体情報を用いた前記第２の認証を行う場合において前記第２の認証が不成立となる回数を計測する、
請求項１に記載の認証制御装置。
【請求項３】
前記制御部は、さらに前記第１の認証において認証されたユーザと、前記第２の認証において認証されたユーザと、が異なる場合、前記関連情報を変更するように報知を行う、
請求項１又は２に記載の認証制御装置。
【請求項４】
車両の外においてユーザが所持する携帯機と通信を行って第１の認証を行う第１の認証装置と、
前記車両の内においてユーザの生体情報を用いた第２の認証を行う第２の認証装置と、
前記第１の認証装置によって前記第１の認証が成立し、続いて認証されたユーザに関連付けられた関連情報の優先順位を上げて前記関連情報に基づく生体情報を用いた前記第２の認証装置による前記第２の認証が不成立となる回数が予め定められた回数以上となった場合、前記関連情報を変更するように報知する制御部を有する認証制御装置と、
を備えた認証制御システム。
【発明の詳細な説明】
【技術分野】
【０００１】
本発明は、認証制御装置及び認証制御システムに関する。
【背景技術】
【０００２】
従来の技術として、携帯機から識別情報を受信することにより、携帯機の認証を行う携帯機認証手段と、運転者に固有の運転者識別情報を取得し、予め登録された運転者識別情報と比較して予め登録された登録運転者であるかの認証を行う運転者認証手段と、登録運転者が設定する情報である設定情報の入力を受け付ける情報入力手段と、運転者認証手段による認証か、又は登録運転者が入力した設定情報に基づく認証のいずれかを選択し、選択された認証による認証結果と携帯機認証手段の認証結果とに基づいて、車両の発車の制御を行う認証制御手段と、を備える車両盗難防止装置が知られている（例えば、特許文献１参照。）。
【０００３】
この車両盗難防止装置は、運転者の生体情報を運転者識別情報としている。そして車両盗難防止装置は、運転者認証手段による認証である生体認証モードでは、生体認証と識別情報の認証結果に基づいて、車両の発車の制御を行う。
【先行技術文献】
【特許文献】
【０００４】
【特許文献１】特開２０１０−２０８５５４号公報
【発明の概要】
【発明が解決しようとする課題】
【０００５】
例えば、従来の車両盗難防止装置が識別情報の認証結果に基づいて生体情報の優先順位を変える構成を有する場合、携帯機を所有する所有者と、当該携帯機を使う使用者と、が異なる際、所有者の生体情報の優先順位が高いので、認証が不成立となり、利便性が良くない。
【０００６】
従って本発明の目的は、利便性の低下を抑制することができる認証制御装置及び認証制御システムを提供することにある。
【課題を解決するための手段】
【０００７】
本発明の一態様は、第１の認証装置によって第１の認証が成立し、続いて認証されたユーザに関連付けられた関連情報の優先順位を上げて関連情報に応じた第２の認証装置による第２の認証が不成立となる回数が予め定められた回数以上となった場合、関連情報を変更するように報知する制御部を備えた認証制御装置を提供する。
【０００８】
また本発明の他の態様は、車両の外においてユーザが所持する携帯機と通信を行って第１の認証を行う第１の認証装置と、車両の内においてユーザの生体情報を用いた第２の認証を行う第２の認証装置と、第１の認証装置によって第１の認証が成立し、続いて認証されたユーザに関連付けられた関連情報の優先順位を上げて関連情報に基づく生体情報を用いた第２の認証装置による第２の認証が不成立となる回数が予め定められた回数以上となった場合、関連情報を変更するように報知する制御部を有する認証制御装置と、を備えた認証制御システムを提供する。
【発明の効果】
【０００９】
本発明によれば、利便性の低下を抑制することができる。
【図面の簡単な説明】
【００１０】
【図１】図１（ａ）は、実施の形態に係る認証制御装置及び認証制御システムのブロック図の一例を示し、図１（ｂ）は、認証制制御装置及び認証制御システムが搭載された車両内部の一例を示す概略図である。
【図２】図２（ａ）は、実施の形態に係る認証制御装置が有する関連情報の一例を示す概略図であり、図２（ｂ）は、表示装置に表示される報知の一例を示す概略図である。
【図３】図３は、実施の形態に係る認証制御装置の動作の一例を示すフローチャートである。
【発明を実施するための形態】
【００１１】
（実施の形態の要約）
実施の形態に係る認証制御装置は、第１の認証装置によって第１の認証が成立し、続いて認証されたユーザに関連付けられた関連情報の優先順位を上げて関連情報に応じた第２の認証装置による第２の認証が不成立となる回数が予め定められた回数以上となった場合、関連情報を変更するように報知する制御部を備えて概略構成されている。
【００１２】
この認証制御装置は、第１の認証によって認証されたユーザの優先順位が上げられ、その結果、第２の認証が不成立になると、当該ユーザの関連情報の変更を促すので、この構成を採用しない場合と比べて、第２の認証が成立し易いように関連情報を変更することが可能となり、利便性の低下を抑制することができる。
【００１３】
[実施の形態]
（認証制御装置１の概要）
図１（ａ）は、実施の形態に係る認証制御装置及び認証制御システムのブロック図の一例を示し、図１（ｂ）は、認証制制御装置及び認証制御システムが搭載された車両内部の一例を示す概略図である。図２（ａ）は、実施の形態に係る認証制御装置が有する関連情報の一例を示す概略図であり、図２（ｂ）は、表示装置に表示される報知の一例を示す概略図である。なお、以下に記載する実施の形態に係る各図において、図形間の比率は、実際の比率とは異なる場合がある。また図１（ａ）では、主な信号や情報の流れを矢印で示している。
【００１４】
認証制御装置１は、例えば、図１（ａ）に示すように、第１の認証装置２２によって第１の認証が成立し、続いて認証されたユーザに関連付けられた関連情報１１の優先順位を上げて関連情報１１に応じた第２の認証装置２３による第２の認証が不成立となる回数が予め定められた回数（Ｎ回）以上となった場合、関連情報１１を変更するように報知する制御部１０を備えて概略構成されている。
【００１５】
この制御部１０は、第１の認証装置２２が車両３の外においてユーザが所持する携帯機４と通信を行って第１の認証を行い、第２の認証装置２３が優先順位を上げられた携帯機４に登録されたユーザに関連する生体情報を用いた第２の認証を行う場合において第２の認証が不成立となる回数を計測するように構成されている。
【００１６】
また制御部１０は、さらに第１の認証において認証されたユーザと、第２の認証において認証されたユーザと、が異なる場合、関連情報１１を変更するように報知を行う。
【００１７】
この認証制御装置１は、例えば、図１（ａ）に示すように、認証制御システム２に含まれる。
【００１８】
具体的には、認証制御システム２は、例えば、図１（ａ）及び図１（ｂ）に示すように、車両３の外においてユーザが所持する携帯機４と通信を行って第１の認証を行う第１の認証装置２２と、車両３の内においてユーザの生体情報を用いた第２の認証を行う第２の認証装置２３と、第１の認証装置２２によって第１の認証が成立し、続いて認証されたユーザに関連付けられた関連情報１１の優先順位を上げて関連情報１１に基づく生体情報を用いた第２の認証装置２３による第２の認証が不成立となる回数が予め定められた回数（Ｎ回）以上となった場合、関連情報１１を変更するように報知する制御部１０を有する認証制御装置１と、を備えて概略構成されている。
【００１９】
さらに認証制御システム２は、例えば、図１（ａ）に示すように、車両ＬＡＮ（Local Area Network）２０と、車両制御部２１と、入力装置２４と、表示装置２５と、サブ表示装置２６と、を備えて概略構成されている。
【００２０】
（制御部１０の構成）
制御部１０は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部１０が動作するためのプログラムと、関連情報１１と、回数情報１２と、が格納されている。ＲＡＭは、例えば、一時的に演算結果などを格納する記憶領域として用いられる。
【００２１】
関連情報１１は、例えば、ユーザ名１１ａと、携帯機名１１ｂと、生体情報１１ｃと、設定名１１ｄと、が関連付けられた情報である。図２（ａ）に示す関連情報１１は、一例として、ユーザ名１１ａとしてユーザＡ〜ユーザＣ、携帯機名１１ｂとしてカギＡ、カギＢ、スマートフォンＣ、生体情報１１ｃとして生体情報Ａ〜生体情報Ｃ、設定名１１ｄとして設定Ａ〜設定Ｂを有している。カギＡ及びカギＢとは、例えば、電子キーの識別子である。またスマートフォンＣとは、例えば、第１の認証装置２２と通信が可能な多機能携帯電話の識別子である。
【００２２】
生体情報１１ｃは、例えば、第２の認証装置２３が記憶するテンプレートの識別子である。設定名１１ｄは、例えば、シートの位置やミラーの角度などのユーザが行った設定を読み出すための識別子である。
【００２３】
制御部１０は、例えば、第１の認証装置２２から出力されたユーザ情報Ｓ２に基づいて携帯機４に登録されたユーザを判定し、第２の認証装置２３に対してはこのユーザの生体情報１１ｃの優先順位を高くさせるための優先情報Ｓ３を出力する。例えば、第２の認証装置２３は、ユーザＣの優先順位を高くする優先情報Ｓ３が入力した場合、テンプレート情報２３０に含まれるユーザＣのテンプレートを用いて認証を行う。
【００２４】
また制御部１０は、例えば、ユーザ情報Ｓ２に基づいて携帯機４のユーザがユーザＢであると判定すると、ユーザＢの設定Ｂを優先する優先情報Ｓ３を生成して該当する電子機器に出力する。この電子機器は、入力した優先情報Ｓ３に基づいてシートの位置などを設定する。
【００２５】
ここでユーザＣがユーザＢの携帯機４を持って車両３に乗り込んだ場合、制御部１０は、ユーザ情報Ｓ２に基づいてユーザＢを優先する優先情報Ｓ３を出力する。しかし実際は、ユーザＣが携帯機４を使用しているので、１回目の第２の認証において認証が不成立となる。制御部１０は、第２の認証装置２３から出力された認証情報Ｓ４に基づいてユーザＢを優先したことで第２の認証が不成立であったと判定し、回数情報１２を更新する。
【００２６】
この回数情報１２は、第１の認証が成立した後、第２の認証が不成立となった回数の情報である。
【００２７】
また制御部１０は、例えば、ユーザＢにおける不成立となった回数が予め定められた回数（Ｎ回）以上となった場合、ユーザＢの携帯機４をユーザＢ以外のユーザが使用していると判定し、関連情報１１の変更を促す報知を行う。この予め定められた回数は、一例として、１０回（Ｎ＝１０）である。
【００２８】
この関連情報１１の変更とは、例えば、ユーザＣの携帯機名１１ｂ（スマートフォンＣ）をユーザＢのカギＢに変える変更や、新規のユーザであれば新規に関連情報１１を作成することなどを含んでいる。
【００２９】
制御部１０は、例えば、関連情報１１の変更を報知する場合、報知信号Ｓ５を生成し、車両ＬＡＮ２０を介して報知を実行する表示装置２５などに出力する。
【００３０】
（車両ＬＡＮ２０の構成）
車両ＬＡＮ２０は、ＣＡＮ（Controller Area Network）及びＬＩＮ（Local Interconnect Network）などの規格を用いた相互の通信を可能とするものである。認証制御システム２は、例えば、この車両ＬＡＮ２０を介して認証制御装置１や第１の認証装置２２及び第２の認証装置などが通信を行えるように構成されている。
【００３１】
（車両制御部２１の構成）
車両制御部２１は、例えば、ＣＰＵ、ＲＡＭ及びＲＯＭなどから構成されるマイクロコンピュータである。この車両制御部２１は、例えば、車両ＬＡＮ２０や第１の認証装置２２などを総合的に制御するように構成されている。
【００３２】
（第１の認証装置２２の構成）
第１の認証装置２２は、例えば、携帯機４が車両３に登録されたものであるか否かを認証するように構成されている。第１の認証装置２２は、例えば、携帯機４から識別情報Ｓ１を取得し、携帯機４が登録されているか認証を行う。この識別情報Ｓ１は、携帯機４に固有の情報である。
【００３３】
第１の認証装置２２は、例えば、認証が成立した場合、ユーザ情報Ｓ２を生成し、車両ＬＡＮ２０を介して車両制御部２１、認証制御装置１などに出力する。車両制御部２１は、例えば、ユーザ情報Ｓ２が入力すると、車両３のドアを施錠状態から開錠状態に遷移させたり、第２の認証装置２３による認証を可能とさせたりする。
【００３４】
（第２の認証装置２３の構成）
第２の認証装置２３は、例えば、ユーザの生体情報を読み取るものである。この第２の認証装置２３は、一例として、図１（ｂ）に示すように、車両３の駆動装置のオン、オフを指示するためのスタートスイッチとして構成されている。なお第２の認証装置２３は、一例として、スタートスイッチ以外の電子機器のため、顔画像や虹彩といった生体情報を用いた認証を行うように構成されても良い。
【００３５】
第２の認証装置２３は、例えば、読み取ったスタートスイッチを操作する操作指の指紋や静脈と、指紋や静脈の認証に用いる生体情報のテンプレートと、を比較して操作者が登録者であるか否かを判定する。第２の認証装置２３は、例えば、ユーザごとのテンプレートの情報としてテンプレート情報２３０を有している。
【００３６】
第２の認証装置２３は、認証制御装置１から出力された優先情報Ｓ３に基づいて認証を行う優先順位を変更する。また第２の認証装置２３は、認証の成立、不成立を示す認証情報Ｓ４を生成して出力する。
【００３７】
この指紋の読み取りは、例えば、光学式、静電容量式、電界強度測定式、感圧式及び感熱式などの指紋パターンを読み取るように構成されたセンサを用いて行われる。
【００３８】
操作指や手の平の静脈の読み取りは、例えば、照射した近赤外線の反射に基づいて静脈パターンを読み取るように構成されたセンサを用いて行われる。
【００３９】
顔画像の読み取りは、例えば、撮像された対象に複数の計測点を設け、この計測点の深度に基づいて対象の凹凸形状を読み取るように構成されたセンサを用いて行われる。
【００４０】
虹彩の読み取りは、例えば、赤外線を照射して撮像した画像を画像処理して虹彩を読み取るように構成されたセンサを用いて行われる。
【００４１】
（入力装置２４の構成）
入力装置２４は、一例として、図１（ｂ）に示すように、車両３の運転席と助手席の間のフロアコンソール２７に配置されたタッチパッドである。このタッチパッドは、例えば、静電容量方式のタッチセンサであり、なぞり操作、プッシュ操作、タップ操作などを検出するように構成されている。そして入力装置２４は、例えば、表示装置２５に表示されたカーソルを操作したり、メニューや地図をスクロールさせたり、文字の入力を受け付けたりする。
【００４２】
（表示装置２５の構成）
表示装置２５は、一例として、図１（ｂ）に示すように、運転席と助手席の斜め前方に位置するセンターコンソール２８に配置されている。この表示装置２５は、例えば、液晶モニタである。
【００４３】
表示装置２５は、例えば、図２（ｂ）に示すように、認証制御装置１の制御部１０から出力される報知信号Ｓ５に基づいて関連情報１１の変更を報知するための表示画像２５０を表示する。この表示画像２５０は、例えば、「設定を替えますか？」などの文字列を有する。ユーザは、入力装置２４を用いて表示された「Ｙ」を選択、決定すると、関連情報１１を変更することができる。
【００４４】
なお変形例として制御部１０は、音、光及び表示の少なくとも１つを用いて報知を行うように構成されても良い。制御部１０は、例えば、車両３に搭載されたスピーカを用いて音による報知を行う。制御部１０は、例えば、表示装置２５やサブ表示装置２６を用いて光による報知を行う。制御部１０は、例えば、音、光及び表示による報知を組み合わせて行っても良い。
【００４５】
（サブ表示装置２６の構成）
サブ表示装置２６は、例えば、図１（ｂ）に示すように、インストルメントパネル２９に配置されている。このサブ表示装置２６は、例えば、液晶モニタである。このサブ表示装置２６には、例えば、計器類が表示されている。
【００４６】
変形例としてサブ表示装置２６は、例えば、表示装置２５と同様に、報知信号Ｓ５に基づいて報知の表示を行うようにされても良い。なお報知の表示は、表示装置２５のみであっても良いし、サブ表示装置２６のみであっても良いし、組み合わせて行われても良い。
【００４７】
以下に本実施の形態の認証制御装置１の報知に関する動作の一例について図３のフローチャートに従って説明する。
【００４８】
（動作）
認証制御システム２の制御部１０は、第１の認証装置２２と携帯機４との第１の認証が成立する、つまりステップ１の「Ｙｅｓ」が成立し（Ｓｔｅｐ１：Ｙｅｓ）、ユーザを識別するユーザ情報Ｓ２が入力すると、ユーザ情報Ｓ２と関連情報１１とに基づいて優先情報Ｓ３を生成して車両ＬＡＮ２０を介して第２の認証装置２３に出力する（Ｓｔｅｐ２）。
【００４９】
第２の認証装置２３は、優先情報Ｓ３に基づくユーザの優先順位を上げて第２の認証を行い、認証結果に基づく認証情報Ｓ４を、車両ＬＡＮ２０を介して認証制御装置１に出力する。
【００５０】
制御部１０は、認証情報Ｓ４に基づいて第２の認証が成立したか否かを確認する。制御部１０は、第２の認証が成立した場合（Ｓｔｅｐ３：Ｙｅｓ）、第１の認証におけるユーザと、第２の認証におけるユーザと、が一致するか確認する。
【００５１】
制御部１０は、第１の認証において認証されたユーザと、第２の認証において認証されたユーザと、が一致する場合（Ｓｔｅｐ４：Ｙｅｓ）、報知を行う必要がないので、処理を終了する。
【００５２】
ここでステップ３において制御部１０は、第２の認証が不成立であった場合（Ｓｔｅｐ３：Ｎｏ）、ユーザ情報Ｓ２に基づいて優先したユーザの第２の認証が不成立であった回数を回数情報１２に基づいて確認する。
【００５３】
制御部１０は、不成立であった回数がＮ回以上であった場合（Ｓｔｅｐ５：Ｙｅｓ）、関連情報１１の変更を促す報知信号Ｓ５を生成し、車両ＬＡＮ２０を介して表示装置２５などに出力する（Ｓｔｅｐ６）。なお制御部１０は、関連情報１１が変更された場合、該当するユーザの回数情報１２をリセットする。
【００５４】
またステップ４において制御部１０は、第１の認証において認証されたユーザと、第２の認証において認証されたユーザと、が異なる、つまり不一致であった場合（Ｓｔｅｐ４：Ｎｏ）、ステップ６に処理を進めて関連情報１１の変更を促す。
【００５５】
またステップ５において制御部１０は、不成立であった回数がＮ回より少ない場合（Ｓｔｅｐ５：Ｎｏ）、回数情報１２を更新して処理を終了する（Ｓｔｅｐ７）。
【００５６】
（実施の形態の効果）
本実施の形態に係る認証制御装置１は、利便性の低下を抑制することができる。具体的には、認証制御装置１は、第１の認証が成立した後、優先したユーザが第２の認証で不成立となった回数に応じて関連情報１１の変更を報知することができるので、この構成を採用しない場合と比べて、第２の認証において毎回不成立となることを抑制して利便性の低下を抑制することができる。
【００５７】
第２の認証は、生体認証であるので、認証の順番によっては認証に時間が掛かる。認証制御装置１は、携帯機を所有する所有者と、当該携帯機を使う使用者と、が異なり、所有者よりも使用者の方が当該携帯機を頻繁に使う場合、予め定められた回数が経過した後は、使用者のテンプレートを用いて生体認証ができるので、認証に掛かる時間が抑制される。
【００５８】
認証制御装置１は、携帯機を所有する所有者と、当該携帯機を使う使用者と、が異なり、所有者よりも使用者の方が当該携帯機を頻繁に使う場合であっても報知によって設定が変更されると、適切な優先順位を付けることができる。従って認証制御装置１は、第１の認証が車両３の外で行われ、第２の認証が車両３の内で行われるので、適切な優先順位が付けられていると第２の認証がスムーズに行われ、利便性が高い。
【００５９】
認証制御装置１は、第１の認証におけるユーザと、第２の認証におけるユーザと、が異なる場合も関連情報１１の変更を促すので、この構成を採用しない場合と比べて、関連情報１１をより適切なものとなるようにすることができる。
【００６０】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００６１】
１…認証制御装置、２…認証制御システム、３…車両、４…携帯機、１０…制御部、１１…関連情報、１１ａ…ユーザ名、１１ｂ…携帯機名、１１ｃ…生体情報、１１ｄ…設定名、１２…回数情報、２０…車両ＬＡＮ、２１…車両制御部、２２…第１の認証装置、２３…第２の認証装置、２４…入力装置、２５…表示装置、２６…サブ表示装置、２７…フロアコンソール、２８…センターコンソール、２９…インストルメントパネル、２３０…テンプレート情報、２５０…表示画像
【図１】
2019125297.tif 000003
【図２】
2019125297.tif 000004
【図３】
2019125297.tif 000005